(57)【要約】【課題】アンテナ装置の増設に伴うワイヤーハーネスの増加を低減することのできる統合受信システムを提供する。【解決手段】アンテナ５０の近傍に配置され、アンテナ５０で受信された高周波信号をデジタル信号に変換する複数の受信信号処理部２１と、当該デジタル信号に基づいて高周波信号を変調する第一デジタル変調処理部２３と、変調された高周波信号を伝送線４０に出力する第一通信処理部２４とを備えた複数のアンテナ装置２０と、各アンテナ装置２０から伝送された高周波信号を復調する第二デジタル復調処理部３１を備えた復調装置３０と、各アンテナ装置２０と復調装置３０が接続される共通の伝送線４０とを備えている。【選択図】図３
2010034980.tif 000002
【特許請求の範囲】
【請求項１】
アンテナの近傍に配置され、前記アンテナで受信された高周波信号をデジタル信号に変換する受信信号処理部と、前記受信信号処理部から出力されるデジタル信号に基づいて高周波信号を変調する第一デジタル変調処理部と、前記第一デジタル変調処理部で変調された高周波信号を伝送線に出力する第一通信処理部とを備えた複数のアンテナ装置と、
前記伝送線を介して各アンテナ装置から伝送された高周波信号を復調する第二デジタル復調処理部を備えた復調装置と、
各アンテナ装置と前記復調装置が接続される共通の伝送線とを備えていることを特徴とする統合受信システム。
【請求項２】
複数のアンテナ装置の少なくとも一つが、信号系統が異なる複数のアンテナの近傍に配置され、各アンテナで受信された高周波信号をデジタル信号に変換する複数の受信信号処理部と、各受信信号処理部から出力されるデジタル信号を多重化する多重化処理部を備えたアンテナ装置であって、前記第一デジタル変調処理部が前記多重化処理部で多重化されたデジタル信号に基づいて高周波信号を変調するアンテナ装置であり、
前記復調装置が、前記第二デジタル復調処理部で復調されたデジタル信号を信号系統毎のデジタル信号に分離する分離処理部を備えていることを特徴とする請求項１記載の統合受信システム。
【請求項３】
前記復調装置は、各アンテナ装置に対する制御信号を生成する制御部と、前記制御部で生成された制御信号に基づいて高周波信号を変調する第二デジタル変調処理部と、前記第二デジタル変調処理部で変調された高周波信号を前記伝送線に出力する第二通信処理部を備えていることを特徴とする請求項１または２記載の統合受信システム。
【請求項４】
前記第一通信処理部は、前記伝送線から伝送される高周波信号を所定の減衰量で減衰する高周波結合部を備えていることを特徴とする請求項３記載の統合受信システム。
【請求項５】
前記高周波結合部が方向性結合器で構成されていることを特徴とする請求項４記載の統合受信システム。
【請求項６】
前記第一通信処理部及び第二通信処理部は、時分割複信方式で各高周波信号を送受信する送受信制御部を備えていることを特徴とする請求項３または４記載の統合受信システム。
【請求項７】
前記第一通信処理部及び第二通信処理部は、周波数分割複信方式で各高周波信号を送受信する送受信制御部を備えていることを特徴とする請求項３または４記載の統合受信システム。
【請求項８】
前記復調装置から前記伝送線を介して各アンテナ装置に伝送される高周波信号に、各アンテナ装置に給電するＤＣ電圧を重畳する給電部が設けられていることを特徴とする請求項１から７の何れかに記載の統合受信システム。
【請求項９】
前記伝送線は、両端にコネクタが設けられた複数本の同軸ケーブルで構成され、前記復調装置と各アンテナ装置が各同軸ケーブルで縦続接続されるとともに、最終段のアンテナ装置に接続された同軸ケーブルが終端器に接続されていることを特徴とする請求項１から８の何れかに記載の統合受信システム。
【請求項１０】
前記伝送線は、両端にコネクタが設けられた複数本の同軸ケーブルで構成され、前記復調装置と各アンテナ装置が各同軸ケーブルで縦続接続されるとともに、最終段のアンテナ装置に接続された同軸ケーブルが前記復調装置に接続されていることを特徴とする請求項１から８の何れかに記載の統合受信システム。
【請求項１１】
前記伝送線は、両端にコネクタが設けられた複数本の同軸ケーブルで構成され、前記復調装置と各アンテナ装置が各同軸ケーブルで縦続接続されるとともに、最終段のアンテナ装置に接続された同軸ケーブルが前記復調装置に接続されており、前記第一通信処理部は、方向性結合器で構成されていることを特徴とする請求項１から３の何れかに記載の統合受信システム。
【請求項１２】
車両に搭載された請求項１から１１の何れかに記載の統合受信システムであって、各伝送線は、車両の各内装の背面側に実装されるとともに、室内の化粧パネルの背面側に実装されており、各アンテナ装置の設置箇所近傍にコネクタが位置するように実装されていることを特徴とする統合受信システム。
【請求項１３】
アンテナの近傍に配置され、前記アンテナで受信された高周波信号をデジタル信号に変換する受信信号処理部と、前記受信信号処理部から出力されるデジタル信号に基づいて高周波信号を変調する第一デジタル変調処理部と、前記第一デジタル変調処理部で変調された高周波信号を伝送線に出力する第一通信処理部とを備えていることを特徴とするアンテナ装置。
【請求項１４】
信号系統が異なる複数のアンテナの近傍に配置され、各アンテナで受信された高周波信号をデジタル信号に変換する複数の受信信号処理部と、各受信信号処理部から出力されるデジタル信号を多重化する多重化処理部と、前記多重化処理部で多重化されたデジタル信号に基づいて高周波信号を変調する第一デジタル変調処理部と、前記第一デジタル変調処理部で変調された高周波信号を伝送線に出力する第一通信処理部とを備えていることを特徴とするアンテナ装置。
【請求項１５】
前記伝送線を介して入力された高周波信号を復調して各受信信号処理部に対する制御信号を生成する第一デジタル復調処理部を備えていることを特徴とする請求項１３または１４記載のアンテナ装置。
【請求項１６】
前記第一通信処理部は、前記伝送線から伝送される高周波信号を所定の減衰量で減衰する高周波結合部を備えていることを特徴とする請求項１３から１５の何れかに記載のアンテナ装置。
【請求項１７】
前記高周波結合部が方向性結合器で構成されていることを特徴とする請求項１６記載のアンテナ装置。
【請求項１８】
伝送線を介して請求項１３から１７の何れかに記載のアンテナ装置から入力された高周波信号を復調してデジタル信号を生成する第二デジタル復調処理部と、前記第二デジタル復調処理部で復調されたデジタル信号を信号系統毎のデジタル信号に分離する分離処理部とを備えていることを特徴とする復調装置。
【請求項１９】
前記アンテナ装置に対する制御信号を生成する制御部と、前記制御部で生成された制御信号に基づいて高周波信号を変調する第二デジタル変調処理部と、前記第二デジタル変調処理部で変調された高周波信号を前記伝送線に出力する第二通信処理部を備えていることを特徴とする請求項１８記載の復調装置。
【請求項２０】
前記伝送線へ出力される高周波信号に、前記アンテナ装置に給電するＤＣ電圧を重畳する給電部を備えていることを特徴とする請求項１８または１９記載の復調装置。
【発明の詳細な説明】
【技術分野】
【０００１】
本発明は、アンテナで放送波を受信するアンテナ装置、アンテナ装置から入力された放送波を復調する復調装置、及び、アンテナ装置と復調装置を備えた統合受信システムに関する。
【背景技術】
【０００２】
ＡＭ、ＦＭ、デジタルＴＶ等の複数のメディアで受信した信号を、アンテナ直下に設けられたアンテナ装置としての統合アンテナ装置でデジタル化や多重化等した上で復調装置としての統合復調装置に伝送し、統合復調装置で復調する統合受信システムとして、例えば特許文献１にシリアルデータ伝送ケーブルを使用する受信装置が開示されている。尚、特許文献１の受信装置には記載されていないが、実際の統合受信システムには統合復調装置から統合アンテナ装置へ給電するための電源ラインが必要である。
【０００３】
図１に、複数のアンテナが相互に近接して設けられている場合の統合受信システムの構成例を示す。
【０００４】
図１に示すように、統合受信システムは、統合アンテナ装置２００と統合復調装置３００とが、二本のシリアルラインと電源ラインを介して接続されて構成されている。
【０００５】
つまり、統合アンテナ装置２００は、信号系統が異なる複数のアンテナ１００の近傍に配置され、各アンテナ１００で受信された高周波信号をデジタル信号に変換する複数の受信信号処理部２１１〜２１ｎと、各受信信号処理部２１１〜２１ｎから出力されるデジタル信号を多重化する多重化処理部２２０と、多重化処理部２２０で多重化されたデジタル多重信号を第一シリアルライン４１０を介して統合復調装置３００に送信するシリアルデータ送出部２３０と、統合復調装置３００から第二シリアルライン４２０を介して制御信号を受信するとともに、制御信号を信号系統毎に分離して、分離した各信号系統の制御信号に基づいて各受信信号処理部２１１〜２１ｎ等を制御する制御データ受信部２４０を備えている。
【０００６】
また、統合復調装置３００は、第一シリアルライン４１０を介して統合アンテナ装置２００から伝送されたデジタル多重信号を受信するシリアルデータ受信部３１０と、受信したデジタル多重信号を信号系統毎の受信デジタル信号に分離する分離処理部３２０と、分離処理部３２０で分離された各受信デジタル信号を復調してＤＳＰ(Digital Signal Processor)等へ出力する復調部３３０と、第二シリアルライン４２０を介して統合アンテナ装置２００に制御信号を出力する制御データ送出部３４０と、受信周波数指定信号等で構成される制御信号を受信周波数を指定する操作部等から受け取って出力する制御部３５０と、バッテリ等から供給された電力を所定電圧に昇圧または降圧して電源ライン４３０を介して統合アンテナ装置２００へ出力する電源部３６０を備えている。
【特許文献１】ＷＯ２００７／０５８３４１号公報
【発明の開示】
【発明が解決しようとする課題】
【０００７】
図１の構成例では統合アンテナ装置が一つであるが、ダイバシティ方式等で信号を受信する場合、アンテナを相互に近接していない複数箇所に設ける必要がある。その場合、統合受信システムは、アンテナ近傍に配置されるべき統合アンテナ装置を複数備える必要がある。
【０００８】
すると、図２に示すように、各統合アンテナ装置２００１〜２００ｍ及び統合復調装置３００の間の夫々について、各統合アンテナ装置２００１〜２００ｎから統合復調装置３００へのシリアルライン４１０１〜４１０ｍ、統合復調装置３００から各統合アンテナ装置へのシリアルライン４２０１〜４２０ｍ、及び統合復調装置３００から統合アンテナ装置への電源ライン４３０が必要となる。つまり、統合アンテナ装置２００の数が多いほどワイヤーハーネスの数が多くなる。
【０００９】
そのため、統合受信システムでは、統合アンテナ装置の増設が困難となり、柔軟なシステム構成を行なうことができない虞がある。また、統合受信システムを実装スペースが限られた車両等に搭載する場合、実装に困難を伴ってしまう。
【００１０】
本発明の目的は、上述した従来の問題点に鑑み、アンテナ装置の増設に伴うワイヤーハーネスの増加を低減し、システム構成の柔軟性や限られたスペースへの実装性を向上することのできる統合受信システム、アンテナ装置、及び復調装置を提供する点にある。
【課題を解決するための手段】
【００１１】
上述の目的を達成するため、本発明による統合受信システムの特徴構成は、アンテナの近傍に配置され、前記アンテナで受信された高周波信号をデジタル信号に変換する受信信号処理部と、前記受信信号処理部から出力されるデジタル信号に基づいて高周波信号を変調する第一デジタル変調処理部と、前記第一デジタル変調処理部で変調された高周波信号を伝送線に出力する第一通信処理部とを備えた複数のアンテナ装置と、前記伝送線を介して各アンテナ装置から伝送された高周波信号を復調する第二デジタル復調処理部を備えた復調装置と、各アンテナ装置と前記復調装置が接続される共通の伝送線とを備えている点にある。
【００１２】
上述の構成によれば、第一通信処理部が、第一デジタル変調処理部で変調された高周波信号、他のアンテナ装置から伝送された高周波信号、及び復調装置から伝送された高周波信号の送受信のタイミング等を制御することで、共通の伝送線で高周波信号を伝送することが可能となる。
【００１３】
そして、共通の伝送線で高周波信号を伝送することによって、アンテナ装置を増設してもワイヤーハーネスの数を多くする必要がなくなる。
【発明の効果】
【００１４】
以上説明した通り、本発明によれば、アンテナ装置の増設に伴うワイヤーハーネスの増加を低減し、システム構成の柔軟性や限られたスペースへの実装性を向上することのできる統合受信システムを提供することができるようになった。
【発明を実施するための最良の形態】
【００１５】
以下、本発明による統合受信システム、アンテナ装置としての統合アンテナ装置、及び復調装置としての統合復調装置を、車両に適用した実施形態について説明する。
【００１６】
統合受信システム１は、図３に示すように、複数の統合アンテナ装置２０（２０１〜２０ｎ）、統合復調装置３０、及び各統合アンテナ装置２０と統合復調装置３０が接続される共通の伝送線４０とを備えている。
【００１７】
各統合アンテナ装置２０は、信号系統が異なる複数のアンテナ５０の近傍に配置され、各アンテナ５０で受信された高周波信号をデジタル信号に変換する複数の受信信号処理部２１と、各受信信号処理部２１から出力されるデジタル信号を多重化する多重化処理部２２と、多重化処理部２２で多重化されたデジタル信号に基づいて高周波信号を変調する第一デジタル変調処理部２３と、第一デジタル変調処理部２３で変調された高周波信号を伝送線に出力する第一通信処理部２４とを備えている。尚、第一通信処理部２４については後述する。
【００１８】
受信信号処理部２１は、図４に示すように、各アンテナ５０で受信された高周波信号を増幅する高周波増幅部２１１、増幅された高周波信号を中間周波信号に変換する周波数変換部２１２、中間周波信号のうちの所望の周波数成分の信号を通過させるバンドパスフィルタ２１３、バンドパスフィルタ２１３の出力信号をデジタル信号に変換するＡ／Ｄ変換部２１４、以下で説明する直交変換部２１５、及び直交変換部２１５から出力されたデジタル信号のＩ成分とＱ成分を夫々ダウンサンプリングするダウンサンプリング部ＤＳ（Ｉ）、ＤＳ（Ｑ）を備えている。ＡＭ放送等の帯域が狭い信号では、低速でサンプリングするよりも、高速でサンプリングしてからダウンサンプリングすることで、ダイナミックレンジを大きくとることができる。
【００１９】
直交変換部２１５は、図５に示すように、入力してきたデジタル信号の周波数と同じ周波数の信号を発生させる発振器２１５Ａと、発振器２１５Ａの出力信号を９０度シフトさせる移相器２１５Ｂと、前記デジタル信号と発振器２１５Ａの出力信号とを乗積して直交信号のＩ成分を出力する混合器２１５Ｃと、前記デジタル信号と移相器２１５Ｂの出力信号とを乗積して、直交信号のＱ成分を出力する混合器２１５Ｄと、混合器２１５Ｃ、２１５Ｄの出力段の夫々に備えられたローパスフィルタ２１６とを備えて構成されており、混合器２１５Ｃ、２１５Ｄから出力されたデジタル信号の直交成分のＩ成分とＱ成分は、夫々ローパスフィルタ２１５Ｃ、２１５Ｄを介してダウンサンプリング部ＤＳ（Ｉ）、ＤＳ（Ｑ）に入力する。
【００２０】
多重化処理部２２は、各アンテナ５０に対応する受信信号処理部２１を介して入力された複数のデジタル信号のＩ成分とＱ成分を、所定フォーマットに設定された転送ブロックに割り付ける。所定フォーマットは、例えば、転送ブロックの最初の所定ビット分のエリアにヘッダが割り付けられ、以下順番に、デジタルＴＶ放送のチャンネル１（第一の信号系統）のデータ、デジタルＴＶ放送のチャンネル２（第二の信号系統）のデータ、ＦＭ放送のチャンネル１（第三の信号系統）のデータ、ＦＭ放送のチャンネル２（第四の信号系統）のデータ、及びＡＭ放送（第五の信号系統）のデータ等に相当する高周波信号が、各信号系統について設定された所定ビット分のエリアに割り付けられるフォーマットである。
【００２１】
ここまでは、アンテナ５０及び受信信号処理部２１が複数の場合について説明したが、本発明においては、図１７に示すように、アンテナ５０及び受信信号処理部２１が一系統であり、多重化処理部２２が無いアンテナ装置２０であってもよい。
【００２２】
つまり、アンテナ装置２０は、アンテナ５０の近傍に配置され、アンテナ５０で受信された高周波信号をデジタル信号に変換する受信信号処理部２１と、受信信号処理部２１から出力されるデジタル信号に基づいて高周波信号を変調する第一デジタル変調処理部２３と、第一デジタル変調処理部２３で変調された高周波信号を伝送線に出力する第一通信処理部２４とを備えている。
【００２３】
この場合、アンテナ装置２０は、多重化処理部２２を備えていないため、第一デジタル変調処理部２３は多重化処理部２２ではなく受信信号処理部２１から出力されるデジタル信号に基づいて高周波信号を変調する。尚、以下の説明は、上述同様、アンテナ５０及び受信信号処理部２１が複数の場合、つまり第一デジタル変調処理部２３は、多重化処理部２２で多重化されたデジタル信号に基づいて高周波信号を変調する場合について説明する。
【００２４】
第一デジタル変調処理部２３は、図６（ａ）に示すように、多重化送信部２２からの送信データを所定数ビット毎に区切り、当該所定数ビットの送信データを予め設定されたデータマップに基づいてＩ成分とＱ成分の信号レベルに分割して出力するマッピング部２３１と、マッピング部２３１から出力されたＩ成分とＱ成分の信号レベルを高周波に変換する直交変調部２３２とを備えている。
【００２５】
第一デジタル変調処理部２３は、例えば１６値の直交振幅変調（ＱＡＭ(Quadrature Amplitude Modulation)）方式で変調を行なう。この場合、マッピング部２３１のデータマップは、図７に示すようなＩ成分、Ｑ成分の各信号レベルが（＋３、＋１、−１、−３）であるＩ−Ｑコンスタレーションで構成されており、マッピング部２３１は、多重化送信部２２からの送信データを所定数ビットとしての４ビット毎に区切ったデータの前半２ビットをＩ成分、後半２ビットをＱ成分として、当該Ｉ−Ｑコンスタレーションに適用して各成分の信号レベルを算出する。
【００２６】
尚、各信号レベルは相対値であり、例えば（＋１、＋１／３、−１／３、−１）等であってもよい。また、第一デジタル変調処理部２３による変調は１６値ＱＡＭに限らず、例えば６４値ＱＡＭや２５６値ＱＡＭ等であってもよい。
【００２７】
直交変調部２３２は、入力した各成分を高周波に変換するため、所定周波数の信号を発生させる発振器２３６と、発振器２３６の出力信号を９０度シフトさせる移相器２３３と、マッピング部２３１から出力されたＱ成分と発振器２３６の出力信号とを乗積して出力する混合器２３４と、マッピング部２３１から出力されたＩ成分と移相器２３３の出力信号とを乗積して出力する混合器２３５と、混合器２３４、２３５の出力を加算する加算器２３６とを備えて構成されている。
【００２８】
第一デジタル変調処理部２３で変調された高周波信号は、高周波送信部２６を介して第一通信処理部２４に入力される。ここで、高周波送信部２６は、第一デジタル変調処理部２３で変調された高周波信号を所定レベルに増幅する増幅器で構成されている。所定レベルは、高周波信号が第一通信処理部２４での処理（後述する。）を経て伝送線４０から出力される際に、所定範囲内のレベルの信号を伝送線４０から出力できるようなレベルである。
【００２９】
また、各統合アンテナ装置２０は、伝送線４０を介して入力された高周波信号を復調して各受信信号処理部２１に対する制御信号を生成する第一デジタル復調処理部２５を備えている。
【００３０】
第一デジタル復調処理部２５は、図６（ｂ）に示すように、伝送線４０を介して統合復調装置３０から受信され、第一通信処理部２４及び高周波受信部２７を介して入力された高周波信号をＩ成分とＱ成分に分離する直交復調部２５１と、直交復調部２５１から出力されたＩ成分とＱ成分の高周波信号を予め設定されたデータマップに基づいて所定数ビットの受信データを生成して出力するデマッピング部２５２とを備えている。
【００３１】
ここで、高周波受信部２７は、第一通信処理部２４から出力された高周波信号を所定レベルに増幅する増幅器で構成されている。ここで、所定レベルは、第一デジタル復調処理部２５において、当該高周波信号からベースバンド信号としての制御信号を適正に復調することができるようなレベルである。
【００３２】
直交復調部２５１は、入力した高周波信号をＩ成分とＱ成分に分離するため、所定周波数の信号を発生させる発振器２５２と、発振器２５２の出力信号を９０度シフトさせる移相器２５３と、入力した高周波信号と発振器２５２の出力信号とを乗積して高周波信号のＱ成分として出力する混合器２５４と、入力した高周波信号とと移相器２５３の出力信号とを乗積して高周波信号のＩ成分として出力する混合器２５５とを備えている。
【００３３】
第一デジタル復調処理部２５は、第一デジタル変調処理部２３と同様、例えば１６値ＱＡＭ方式で復調を行なう。この場合、デマッピング部２５２のデータマップは図７に示すＩ−Ｑコンスタレーションで構成されている。デマッピング部２５２は、直交復調部２５１から出力された高周波信号のＩ成分とＱ成分の信号レベルを夫々、（＋３、＋１、−１、−３）の４種類のレベルの何れかに分けた上で、Ｉ成分の当該レベルを当該Ｉ−ＱコンスタレーションのＩ軸とし、Ｑ成分の当該レベルを当該Ｉ−ＱコンスタレーションのＱ軸とした場合、その座標に対応する４ビットのデータを制御信号として生成し、制御データ解析部２８に出力する。尚、制御データ解析部２８については後述する。
【００３４】
尚、マッピング部２３１と同様、各信号レベルは相対値であり、例えば（＋１、＋１／３、−１／３、−１）等であってもよい。また、第一デジタル復調処理部２５による復調は１６値ＱＡＭに限らず、例えば６４値ＱＡＭや２５６値ＱＡＭ等であってもよい。
【００３５】
上述の構成によれば、統合アンテナ装置２０は、アンテナ５０からの受信信号（ベースバンド信号）に基づいて高周波信号を変調する第一デジタル変調処理部２３を備えることで、ベースバンド信号を高周波信号に重畳して伝送線４０へ出力するだけでなく、伝送線４０を介して統合復調装置３０から入力された高周波信号からベースバンド信号を復調する第一デジタル復調処理部２５を備えることで、高周波信号に重畳されたベースバンド信号を伝送線４０から入力することができる。
【００３６】
統合復調装置３０は、伝送線４０を介して各統合アンテナ装置２０から伝送された高周波信号を復調する第二デジタル復調処理部３１と、第二デジタル復調処理部３１で復調されたデジタル信号を信号系統毎のデジタル信号に分離する分離処理部３２とを備えている。
【００３７】
第二デジタル復調処理部３１は、図６（ｂ）に示す第一デジタル復調処理部２５と同様の構成である。但し、第二デジタル復調処理部３１には、統合復調装置３０に備えられた高周波受信部３７からの高周波信号が入力され、第二デジタル復調処理部３１からは、デマッピング部で生成された所定数ビットの受信データが分離処理部３２へ出力される。
【００３８】
ここで、高周波受信部３７は、各統合アンテナ装置２０に備えられた高周波受信部２７と同様の構成である。但し、高周波受信部３７で増幅される所定レベルは、第二デジタル復調処理部３１において、各統合アンテナ装置２０から伝送線４０を介して伝送された高周波信号からベースバンド信号としての多重化されたデジタル信号を適正に復調することができるようなレベルである。
【００３９】
分離処理部３２は、第二デジタル復調処理部３１で復調されたデジタル信号を、複数の統合アンテナ装置２０の夫々に対応するデジタル信号に分離する第一分離処理部と、多重化処理部２２において多重化処理されたデジタル信号のデータを、多重化処理部２２と逆の処理を行なうことで、統合アンテナ装置２０で各アンテナ５０から受信された際と同一種類の信号系統毎に分離する第二分離処理部とを備えている。分離処理部３２で分離された各デジタル信号は、各信号系統に対応した復調処理部３８に出力される。
【００４０】
尚、図１７に示すように、各アンテナ装置２０が多重化処理部２２を備えていない場合、分離処理部３２は、第二分離処理部を備えないこととなる。
【００４１】
各復調処理部３８は、分離処理部３２で信号系統毎に分離された各デジタル信号を復調して統合復調装置３０の後段側に接続されたＤＳＰ等へ出力する。
【００４２】
ここまでは、復調装置３０が、複数系統のアンテナ５０と接続されたアンテナ装置２０と送受信する場合について説明したが、本発明においては、図１７に示すように、復調装置３０が、一系統のアンテナ５０と接続されたアンテナ装置２０と送受信される構成であってもよい。この場合、復調処理部３８は一系統となる。尚、以下の説明は、上述ｄ同様、復調装置３０が、複数系統のアンテナ５０と接続されたアンテナ装置２０と送受信する場合について説明する。
【００４３】
統合復調装置３０は、各統合アンテナ装置２０に対する制御信号を生成する制御部３３と、制御部３３で生成された制御信号に基づいて高周波信号を変調する第二デジタル変調処理部３４と、第二デジタル変調処理部３４で変調された高周波信号を伝送線４０に出力する第二通信処理部３５を備えている。尚、第二通信処理部３５については後述する。
【００４４】
制御部３３は、受信周波数、受信帯域幅、ダウンサンプリングパラメータ、直交変換周波数、及び伝送フォーマット等の各種データを一纏めにした制御信号に変換し、当該制御信号を第二デジタル変調処理部３４へ出力する。
【００４５】
ここで、各種データは、車両に搭載されたナビゲーション装置等の操作部等をユーザーが操作することによって設定され、当該ナビゲーション装置等から制御部３３へ入力される。
【００４６】
受信周波数は、各統合アンテナ装置２０の周波数変換部２１２で、選局のために使用される。
【００４７】
受信帯域幅は、各統合アンテナ装置２０のバンドパスフィルタ２１３で、帯域幅を設定するために使用される。
【００４８】
ダウンサンプリングパラメータは、例えば、デシメーション比及びローパスフィルタの段数を示す値や特性を示す係数値等であり、各統合アンテナ装置２０のダウンサンプリング部ＤＳ（Ｉ）、ＤＳ（Ｑ）で使用される。
【００４９】
直交変換周波数は、直交変換用の発振周波数を設定するために、各統合アンテナ装置２０の直交変換部２１５で使用される。
【００５０】
伝送フォーマットは、受信信号の１サンプルのビット数、データ送出順序、及びダミーデータ数等を示し、各統合アンテナ装置２０の多重化処理部２２で使用される。
【００５１】
これらの各種データは、統合復調装置３０から各統合アンテナ装置２０へ伝送される。各統合アンテナ装置２０に伝送された高周波信号は、第一通信処理部２４及び高周波受信部２７を介して第一デジタル復調処理部２５に入力され、第一デジタル復調処理部２５で制御信号に復調され、制御データ解析部２８に入力される。
【００５２】
制御データ解析部２８は、入力された制御信号を信号系統毎且つ各種データ（受信周波数、受信帯域幅、ダウンサンプリングパラメータ、直交変換周波数、及び伝送フォーマット等）に変換して、各種データを対応する信号系統及び対応する機能ブロックに出力する。例えば、受信周波数は周波数変換部２１２、受信帯域幅はバンドパスフィルタ２１３、ダウンサンプリングパラメータはダウンサンプリング部ＤＳ（Ｉ）、ＤＳ（Ｑ）、直交変換周波数は直交変換部２１５、伝送フォーマットは多重化処理部２２に出力される。
【００５３】
尚、各データは、上述したものに限られない。例えば、制御部３３は各復調処理部３８から各信号系統の利得制御データを入力して制御データ解析部２８へ送信し、制御データ解析部２８は当該利得制御データを各受信信号処理部２１の高周波増幅部２１１へ出力することで、利得制御を行なうことも可能である。
【００５４】
第二デジタル変調処理部３４は、図６（ａ）に示す第一デジタル変調処理部２３と同様の構成である。但し、第二デジタル変調処理部３４には、制御部３３からの制御信号が入力され、第二デジタル変調処理部３４からは、直交変調部で生成された高周波信号が高周波送信部３９へ出力される。
【００５５】
高周波送信部３９は、各統合アンテナ装置２０の高周波送信部２６と同様の構成である。但し、高周波送信部３９で増幅される所定レベルは、高周波信号が第二通信処理部３５での処理（後述する。）を経て伝送線４０から出力される際に、所定範囲内のレベルの信号を伝送線４０から出力できるようなレベルである。
【００５６】
上述の構成によれば、統合復調装置３０は、伝送線４０を介して各統合アンテナ装置２０から入力された高周波信号からベースバンド信号を復調する第二デジタル復調処理部３１を備えることで、高周波信号に重畳されたベースバンド信号を伝送線４０から入力することができるだけでなく、ナビゲーション装置等からの各種データ（制御信号）に基づいて高周波信号を変調する第二デジタル変調処理部３４を備えることで、ベースバンド信号を高周波信号に重畳して伝送線４０へ出力することができる。
【００５７】
また、統合復調装置３０は、伝送線４０を介して各統合アンテナ装置２０に伝送される高周波信号に、各統合アンテナ装置２０に給電するＤＣ電圧を重畳する給電部３６を備えている。
【００５８】
給電部３６は、車両のバッテリ等から入力された電圧を降圧または昇圧することで所定の定電圧（例えば１２Ｖ）を出力する定電圧電源で構成されており、給電部３６から出力された定電圧はローパスフィルタ３６１を介して、統合復調装置３０から伝送線４０へ出力される高周波信号に重畳される。
【００５９】
上述の構成によれば、給電部３６から出力された電圧は高周波信号に重畳されて伝送線４０を介して伝送されるので、各統合アンテナ装置２０に給電するための電源ラインを別途設ける必要がない。
【００６０】
伝送線４０は、両端にコネクタ４１が設けられた複数本の同軸ケーブル４０１〜４０ｍで構成され、統合復調装置３０と各統合アンテナ装置２０が各同軸ケーブル４０１〜４０ｍで縦続接続されるとともに、最終段の統合アンテナ装置２０ｎに接続された同軸ケーブル４０ｍが終端器６０に接続されている。
【００６１】
図３では、各統合アンテナ装置２０にコネクタ挿入口４２が二個設けられており、一方の挿入口と他方の挿入口には、統合復調装置３０及び他の統合アンテナ装置２０の何れかが接続される。
【００６２】
また、各同軸ケーブル４０は、各同軸ケーブル４０のコネクタ４１同士を接続することで、統合アンテナ装置２０または統合復調装置３０を介することなく、各同軸ケーブル４０を延長可能に構成されている。
【００６３】
終端器６０は、例えば所定抵抗値（例えば５０Ωまたは７５Ω）の終端抵抗で構成されている。
【００６４】
尚、図３では、統合復調装置３０は、終端器６０の接続されている方ではない終端に接続されており、挿入口が一個しか設けられていないが、挿入口を二個設けて、終端でない位置に接続してもよい。
【００６５】
また、各伝送線４０、つまり複数本の同軸ケーブル４０１〜４０ｍは、車両の各内装の背面側に実装されるとともに、室内の化粧パネルの背面側に実装されており、各統合アンテナ装置２０の設置箇所近傍にコネクタ４１が位置するように実装されている。
【００６６】
例えば、各同軸ケーブル４０は、図８（ａ）、（ｂ）に示すように、車両の化粧パネル近傍に設けられた統合復調装置３０から、化粧パネルの背面側、並びに、フロントウィンド下部、ピラー（図８ではフロントピラー及びリヤピラー）、フロントウィンド、ルーフサイド、及びリヤウィンド等の内装の背面側に沿って、車両のリヤウィンド近傍に設けられた終端器６０に配線される。
【００６７】
図８の黒円は異なる二本の同軸ケーブル４０のコネクタ４１の接続を示しており、同軸ケーブル４０の配線のうち、コネクタ４１の部分のみ、車両内装機内の作業しやすい位置に配置される。そして、図８（ｂ）に示すように、作業しやすい位置に配置されたコネクタ４１に各統合アンテナ装置２０が接続され、各統合アンテナ装置２０に少なくとも一つのアンテナ５０が接続される。尚、図８（ｂ）で、統合アンテナ装置２０が接続されていない黒円は、将来のアンテナ５０及び統合アンテナ装置２０の拡張用に設けられたコネクタ４１同士の接続を示している。
【００６８】
尚、車両に搭載されるアンテナ５０及び統合アンテナ装置２０としては、デジタルテレビ（ＤＴＶ）用、ＦＭ用、ＡＭ用、及びＦＭとＡＭの共用等があるが、デジタル音声放送用、ＧＰＳ受信用、及び衛星放送用のアンテナ５０と統合アンテナ装置２０を搭載してもよい。また、統合アンテナ装置２０（及び統合アンテナ装置２０に接続されるアンテナ５０）は、現在車両に搭載されていなくても、将来のアンテナ５０及び統合アンテナ装置２０の拡張用に設けられたコネクタ４１に接続することもできる。
【００６９】
また、車両には、路車間通信や車車間通信といった通信用等のアンテナ５０及び統合アンテナ装置２０を搭載してもよい。つまり、本発明による統合受信システム、統合アンテナ装置２０、及び統合復調装置３０は、アンテナ５０からの受信のみでなく、送信にも使用することができる。
【００７０】
上述の構成によれば、各統合アンテナ装置２０と統合復調装置３０が接続される共通の伝送線４０とを備えた統合受信システムを、同軸ケーブル４０を用いて具体的に実現できる。
【００７１】
また、各同軸ケーブル４０の両端にコネクタ４１を設けることで、統合アンテナ装置２０を接続しない場合には、上述したようにコネクタ４１同士を接続して各同軸ケーブル４０を接続し、統合アンテナ装置２０を接続する場合には、接続されていたコネクタ４１を外して、外した各コネクタ４１と統合アンテナ装置２０の各挿入口４２を接続することが可能となる。つまり、統合アンテナ装置２０の増設や取り外しを容易に行なうことのできるシステム構成の柔軟性の高い統合受信システムを実現できる。
【００７２】
以下、第一通信処理部２４及び第二通信処理部３５について詳述する。
【００７３】
第二通信処理部３５から出力された高周波信号は、伝送線４０を介して各統合アンテナ装置２０の第一通信処理部２４に伝送される。
【００７４】
第一通信処理部２４は、伝送線４０から伝送される高周波信号を所定の減衰量で減衰する高周波結合部２４１を備えている。
【００７５】
高周波結合部２４１は、例えば図９（ａ）、（ｂ）に示すように、一方を伝送線４０と接続され他方を後述する送受信制御部２４２と接続された抵抗Ｒ１と、一方を伝送線４０と接続され他方を接地された抵抗Ｒ２とで構成されている。尚、図９では、直流成分を除去するためのコンデンサが挿入されている。
【００７６】
このように構成することで、伝送線４０を介して統合復調装置３０から統合アンテナ装置２０に高周波信号を入力する場合に、高周波結合部２４１に入力した高周波信号を、図９（ａ）に示す経路Ａで所定量減衰させて送受信制御部２４２へ出力する代わりに、図９（ａ）に示す経路Ｂでは前記減衰量より大幅に少ない減衰量で、つまり殆ど減衰させることなく縦続接続された他の統合アンテナ装置２０へ出力することができる。その結果、多数の統合アンテナ装置を縦続接続することによる伝送信号の減衰の弊害を低減することができる。
【００７７】
また、伝送線４０を介して統合アンテナ装置２０から統合復調装置３０に高周波信号を出力する場合、図９（ｂ）に示す経路Ｃでは経路Ａと略同一の減衰量で出力することができる。
【００７８】
以下に詳述する。例えば、同軸ケーブルの特性インピーダンスＺｏを５０（Ω）、抵抗Ｒ１を４５０（Ω）、抵抗Ｒ２を５０（Ω）とした場合について説明する。
【００７９】
まず、統合復調装置３０から統合アンテナ装置２０へ−２０（ｄＢｍ）の高周波信号が入力する場合について、図９（ａ）に基づいて説明する。
【００８０】
図９（ａ）において、高周波信号の出力側である位置Ｐ１の電圧は、入力側である位置Ｐ２の電圧に対して、以下の数１より１０分の１になる。よって、経路Ａでの減衰量は、以下の数２より−２０（ｄＢ）となる。
【数１】
2010034980.tif 000003
【数２】
2010034980.tif 000004
【００８１】
従って、入力された−２０（ｄＢｍ）の高周波信号は、−２０（ｄＢ）減衰した−４０（ｄＢｍ）の高周波信号として送受信制御部２４２へ出力される。
【００８２】
また、経路Ａでの減衰量が−２０（ｄＢ）であることから、伝送線４０を介して挿入口４２Ａから入力される電力Ｐｉに対する送受信制御部２４２へ出力される電力Ｐｏの比率（Ｐｏ／Ｐｉ）は、以下の数３より、０．０１となる。
【数３】
2010034980.tif 000005
【００８３】
従って、別の挿入口４２Ｂから伝送線４０を介して他の統合アンテナ装置２０へ出力される電力は、入力電力Ｐｉから出力電力Ｐｏ分を除いた電力となる。つまり、以下の数４より−０．０４（ｄＢ）減衰して−２０．０４（ｄＢｍ）となる。
【数４】
2010034980.tif 000006
【００８４】
以上の説明より、前記減衰量は−２０（ｄＢ）で、前記減衰量より大幅に少ない減衰量は−０．０４（ｄＢ）である。
【００８５】
次に、統合アンテナ装置２０から統合復調装置３０へ−１７（ｄＢｍ）の高周波信号を出力する場合について、図９（ｂ）に基づいて説明する。
【００８６】
図９（ｂ）において、高周波信号の出力側である位置Ｐ４の電圧は、入力側である位置Ｐ３の電圧に対して、以下の数５より１０分の１になる。よって、経路Ｃでの減衰量は、以下の数６より−２０（ｄＢ）となる。
【数５】
2010034980.tif 000007
【数６】
2010034980.tif 000008
【００８７】
従って、入力された−１７（ｄＢｍ）の高周波信号は、−２０（ｄＢ）減衰した−３７（ｄＢｍ）の高周波信号として伝送線４０へ出力される。ここで、高周波信号の出力経路は、挿入口４２Ａを介した経路と挿入口４２Ｂを介した経路の二経路存在するため、各経路へ出力される電力は２分の１となる。つまり、各経路へ出力される電力は−３（ｄＢ）されて−４０（ｄＢｍ）となる。
【００８８】
尚、以上の説明は一例である。つまり、入力される高周波信号は−２０（ｄＢｍ）や−１７（ｄＢｍ）に限らず、また、所定の減衰量は−２０（ｄＢｍ）に限らない。そして、高周波結合部に用いられる各素子の値（例えば抵抗の抵抗値）は、所望の入出力高周波信号の電力や減衰量に応じて適宜決定される。
【００８９】
また、高周波結合部２４１に入力した高周波信号は、図９（ａ）、（ｂ）に示すように、ローパスフィルタ２９において、直流成分のみ、つまり当該高周波信号に重畳して高周波結合部２４１に入力したＤＣ電圧のみ取り出され、当該ＤＣ電圧は、統合アンテナ装置２０の各部への給電に使用される。
【００９０】
第一通信処理部２４及び第二通信処理部３５は、時分割複信(TDD:Time Division Duplex)方式で各高周波信号を送受信する送受信制御部２４２、３５１を備えている。
【００９１】
送受信制御部２４２及び送受信制御部３５１は、図１０（ａ）に示すように、ＦＥＴ等で構成されたスイッチで構成されている。尚、図１０（ａ）は送受信制御部２４２を示している。ＴＤＤ方式の構成の場合、統合復調装置３０から各統合アンテナ装置２０へ伝送される制御信号には、スイッチを切り替えるためのスイッチ制御信号が含まれている。図３に一点鎖線で示すように、制御部３３は送受信制御部３５１を制御し、制御データ解析部２８は当該スイッチ制御信号に基づいて送受信制御部２４２を制御する。当該スイッチ制御信号は、送受信制御部３５１が送信になった場合は送受信制御部２４２が受信になるように、送受信制御部３５１が受信になった場合は送受信制御部２４２が送信になるように送受信制御部２４２を制御する信号である。
【００９２】
送受信制御部２４２としてのスイッチは、制御データ解析部２８から送信されたスイッチ制御信号に基づいて、高周波送信部２６から高周波結合部２４１へ高周波信号が伝送される経路（つまり統合アンテナ装置２０から統合復調装置３０への送信）と、高周波結合部２４１から高周波受信部２７へ高周波信号が伝送される経路（つまり統合復調装置３０から統合アンテナ装置２０への受信）とを高速で切り替えられることで、見かけ上の同時送受信を実現する。
【００９３】
送受信制御部３５１としてのスイッチは、制御部３３による制御に基づいて、コネクタ４２から高周波受信部３７へ高周波信号が伝送される経路（つまり各統合アンテナ装置２０から統合復調装置３０への受信）と、高周波送信部３９からコネクタ４２へ高周波信号が伝送される経路（つまり統合復調装置３０から各統合アンテナ装置２０への送信）とを高速で切り替えられることで、見かけ上の同時送受信を実現する。
【００９４】
また、統合復調装置３０から各統合アンテナ装置２０へ伝送される制御信号にはどの統合アンテナ装置２０に対する信号かを識別する信号を含み、これを時間順に送信する。これにより、統合復調装置３０から各統合アンテナ装置２０への伝送はＴＤＭ(Time Division Multiplex)を実現する。
【００９５】
各統合アンテナ装置２０から統合復調装置３０へ送信される信号は送受信制御部３５１が受信に、送受信制御部２４２が送信になるように制御された時間帯に各統合アンテナ装置２０１〜２０ｎから統合復調装置３０へ時分割で所定量の高周波信号を送信する。これにより、各統合アンテナ装置２０から統合復調装置３０への伝送はＴＤＭＡ(Time Division Multiple Access)を実現する。
【００９６】
例えば、図１１（ａ）はＴＤＤとＴＤＭ／ＴＤＭＡを適用した時間軸上の信号経路と電力分布の図である。統合復調装置（図１１ではＨ／Ｕ：Head Unitと記す。）と各統合アンテナ装置（図１１ではＡＣＵ：Antenna Control Unitと記す。）は送受信の際、対象ＡＣＵの順が時間軸で区切られ、その１サイクルはアンテナ５０や必要なデータ量によって、例えば数１０（μｓ）〜数（ｍｓ）で設定される。
【００９７】
上述の構成によれば、統合復調装置３０を、複数の統合アンテナ装置２０の夫々と個別に接続する必要がないので、統合アンテナ装置２０を増設することによるワイヤーハーネスの増加を防止することができる。
【００９８】
以下、別実施形態について説明する。上述の実施形態では、高周波結合部２６が図９に示すように抵抗で構成されている場合について説明したが、高周波結合部２６は抵抗以外で構成することもできる。
【００９９】
例えば、図１２（ａ）に示すように、抵抗Ｒ１、Ｒ２の代わりにコンデンサＣ１、Ｃ２を用いる構成や、図１２（ｂ）に示すように、抵抗Ｒ１、Ｒ２の代わりにコイルＬ１、Ｌ２を用いる構成や、図１３（ａ）に示すように、高周波結合部２６をコンデンサとコイルよりなるハイパスフィルタを用いる構成としてもよい。尚、これらの場合も抵抗Ｒ１、Ｒ２を用いた場合と同様、コンデンサの容量やコイルのインダクタンスは、所望の入出力高周波信号の電力や減衰量に応じて適宜決定される。
【０１００】
また、高周波結合部２４１が方向性結合器で構成されていてもよい。方向性結合器としては、分布結合形方向性結合器や集中定数形方向性結合器等が用いられる。
【０１０１】
例えば、図１３（ｂ）に示すように、方向性結合器が設けられる統合アンテナ装置２０で送受信される高周波信号の波形の４分の１の長さの２本のマイクロストリップライン２４３を平行に配置することで、各挿入口ａ、ｂ間の減衰量を少なく、各挿入口ａ、ｂと送受信制御部２４２間の減衰量を多くすることができる。つまり、方向性結合器で構成された高周波結合部２４１は、図９、図１２、及び図１３（ａ）と同様の効果を有する。尚、各マイクロストリップラインの間隔や特性インピーダンス等は、所望の入出力高周波信号の電力や減衰量に応じて適宜決定される。
【０１０２】
上述の実施形態では、第一通信処理部２４及び第二通信処理部３５はＴＤＤによる複信方式、ＴＤＭ／ＴＤＭＡで多重化する場合について説明したが、第一通信処理部２４及び第二通信処理部３５はＦＤＤ(Frequency Division Duplex)による複信方式、ＦＤＭ(Frequency Division Multiplex)／ＦＤＭＡ(Frequency Division Multiple Access)で多重化してもよい。
【０１０３】
例えば、各統合アンテナ装置２０から統合復調装置３０へ伝送する周波数を、統合復調装置３０から各統合アンテナ装置２０へ伝送する周波数より高くする。
【０１０４】
この場合、送受信制御部２４２は、例えば、図１０（ｂ）に示すように、高周波送信部２６と高周波結合部２４１の間に送信高周波信号を通過させるフィルタ（図１０（ｂ）ではハイパスフィルタ：ＨＰＦと記す。）２４２１と、高周波受信部２７と高周波結合部２４１の間に受信高周波信号を通過させるフィルタ（図１０（ｂ）ではローパスフィルタ：ＬＰＦと記す。）２４２２を備える。
【０１０５】
一方、送受信制御部３５１は、例えば、図１０（ｃ）に示すように、高周波受信部３７とコネクタ４２の間に前記送信高周波信号を通過させるフィルタ（図１０（ｃ）ではハイパスフィルタ：ＨＰＦと記す。）３５１１と、高周波送信部３９とコネクタ４２の間に前記受信高周波信号を通過させるフィルタ（図１０（ｂ）ではローパスフィルタ：ＬＰＦと記す。）３５１２を備える。
【０１０６】
これにより、各統合アンテナ装置２０から統合復調装置３０へ伝送する信号の周波数には高い周波数帯を用い、統合復調装置３０から各統合アンテナ装置２０へ伝送する信号の周波数には低い周波数帯を用いることで、ＦＤＤが実現できる。
【０１０７】
また、統合復調装置３０から各統合アンテナ装置２０への伝送信号について、信号送信対象となるＡＣＵによって高周波送信部３９の周波数を異なった複数のものとし、各統合アンテナ装置２０の高周波受信部２７で受信する周波数を変えることで、統合復調装置３０から各統合アンテナ装置２０への伝送はＦＤＭを実現する。
【０１０８】
更に、各統合アンテナ装置２０から統合復調装置３０への伝送信号について、高周波送信部２６の周波数を統合アンテナ装置２０毎に変え、統合復調装置３０の高周波受信部３７は受信周波数を変えることによって複数の統合アンテナ装置２０のうちの対象となる統合アンテナ装置２０を認識することで、各統合アンテナ装置２０から統合復調装置３０への伝送はＦＤＭＡを実現する。
【０１０９】
例えば、図１１（ｂ）はＦＤＤとＦＤＭ／ＦＤＭＡを適用した周波数軸上の信号経路と電力分布の図である。統合復調装置（図１１ではＨ／Ｕ：Head Unitと記す。）と各統合アンテナ装置（図１１ではＡＣＵ：Antenna Control Unitと記す。）は送受信、対象ＡＣＵが周波数軸で区切られ、必要なデータ量によって、例えば数（ＭＨｚ）〜数（ＧＨｚ）で設定される。
【０１１０】
また、送受信の複信方式は、スペクトル拡散を用いて、拡散用コードの系列を変えることで送受信を共用するＣＤＤ(Code Division Duplex)方式で各高周波信号を送受信してもよく、統合復調装置３０へアクセスする統合アンテナ装置２０を区別する多重化方式としてスペクトル拡散を用いて、拡散用コードの系列を変えることで送受信を多重化するＣＤＭＡ(Code Division Multiple Access)方式やＦＤＭＡ方式の変形であるＯＦＤＭＡ(Orthogonal Frequency Division Multiple Access)方式で各高周波信号を送受信してもよい。
【０１１１】
尚、以上説明した各方式を組み合わせて使用してもよい。例えば、送受信複信方式にＴＤＤ方式を使用し、多重化方式にＦＤＭ／ＦＤＭＡ方式を使用してもよい。
【０１１２】
上述の構成によれば、統合復調装置３０を、複数の統合アンテナ装置２０の夫々と個別に接続する必要がないので、統合アンテナ装置２０を増設することによるワイヤーハーネスの増加を防止することができる。
【０１１３】
上述の実施形態では、伝送線４０は、両端にコネクタ４１が設けられた複数本の同軸ケーブル４０１〜４０ｍで構成され、統合復調装置３０と各統合アンテナ装置２０が各同軸ケーブル４０１〜４０ｍで縦続接続されるとともに、最終段の統合アンテナ装置２０ｎに接続された同軸ケーブル４０ｍが終端器６０に接続された場合について説明した。
【０１１４】
しかし、図１４に示すように、伝送線４０は、両端にコネクタ４１が設けられた複数本の同軸ケーブル４０１〜４０ｍで構成され、統合復調装置３０と各統合アンテナ装置２０が各同軸ケーブル４０１〜４０ｍで縦続接続されるとともに、最終段の統合アンテナ装置２０に接続された同軸ケーブル４０ｍが統合復調装置３０に接続されていてもよい。
【０１１５】
この場合、統合復調装置３０には、第二通信処理部３５は設けられず、高周波信号の送信と受信は個別に制御される。つまり、各統合アンテナ装置２０から統合復調装置３０への高周波信号は、統合復調装置３０の高周波受信部３７に入力され、統合復調装置３０から各統合アンテナ装置２０への高周波信号は、高周波送信部３９から出力される。
【０１１６】
また、図１４の場合、第一通信処理部２４を、図１５に示すような方向性結合器で構成することができる。
【０１１７】
方向性結合器は、上述の実施形態で説明したように高周波結合器としての役割を果たす。また、図１４の構成では、各統合アンテナ装置２０から統合復調装置３０への伝送経路、及び、統合復調装置３０から各統合アンテナ装置２０への伝送経路は夫々一方向に固定されているので、図１５に示すように、挿入口ａから高周波受信部２７への伝送及び高周波送信部２６から挿入口ｂへの伝送の何れかのみが行なわれる方向性結合器は、送受信制御部の役割を果たすこともできる。
【０１１８】
つまり、図１４の場合、高周波結合部２４１と送受信制御部２４２を兼用でき、回路規模の縮小とコストダウンを実現できる。
【０１１９】
上述の実施形態では、統合受信システム１は、各統合アンテナ装置２０と統合復調装置３０が接続される共通の伝送線４０とを備えた場合について説明したが、各統合アンテナ装置２０と統合復調装置３０が共通の伝送経路で信号の送受信可能な構成であれば、上述の実施形態のような構成に限らない。
【０１２０】
例えば、図１６に示すような構成であってもよい。図１６では、各統合アンテナ装置２００は、図２に示す各ブロック２１１〜２１ｎ（図１６では複数の受信信号処理部を一纏めにして受信信号処理部２１０と記す。）、２２０、２３０、２４０に加えて、多重化処理部とシリアルデータ送出部２３０の間に、他の統合アンテナ装置２０のシリアルデータ送出部２３０からのデジタル信号を受信するとともに、自統合アンテナ装置２０のシリアルデータ送出部２３０を介して当該デジタル信号を送信するシリアルデータ受信部２５０を備え、制御データ受信部２４０と受信信号処理部２１０及び多重化処理部２２０の間に、統合復調装置３００または他の統合アンテナ装置２００からの制御信号を自統合アンテナ装置２００を制御データ受信部２４０を介して受信するとともに、当該制御信号を他の統合アンテナ装置２００へ送信する制御データ送信部２６０を備えている。
【０１２１】
シリアルデータ受信部２５０は、多重化処理部２２０からのデジタル信号と他の統合アンテナ装置２００のシリアルデータ送出部２３０からのデジタル信号とを、時系列等で自装置のシリアルデータ送出部２３０に出力する。
【０１２２】
制御データ送信部２６０は、受け取った制御信号を解析して、自統合アンテナ装置２００に送られてきた制御信号か否かを判断する。そして、当該制御信号が自統合アンテナ装置２００に送られてきた制御信号である場合は、受信信号処理部２１０等を制御し、当該制御信号が自統合アンテナ装置２００に送られてきた制御信号でない場合は、当該制御信号を他の統合アンテナ装置２００へ送信する。
【０１２３】
上述の構成によれば、図２に示す構成よりもワイヤーハーネスの数を少なくすることができる。
【０１２４】
上述の実施形態では、本発明による統合受信システム、統合アンテナ装置、及び統合復調装置を、車両に適用した実施形態について説明したが、車両に限らない。例えば、本発明による統合受信システム、統合アンテナ装置、及び統合復調装置を、船舶、航空機、及び家屋等に適用してもよい。
【０１２５】
尚、上述した実施形態は本発明の一例に過ぎず、本発明の作用効果を奏する範囲において各ブロックの具体的構成等を適宜変更設計できることは言うまでもない。
【図面の簡単な説明】
【０１２６】
【図１】複数のアンテナが相互に近接して設けられている場合の統合受信システムの機能ブロック構成図
【図２】複数のアンテナが相互に近接して設けられていない場合の統合受信システムの機能ブロック構成図
【図３】本発明の統合受信システムの機能ブロック構成図
【図４】受信信号処理部の機能ブロック構成図
【図５】直交変換部の機能ブロック構成図
【図６】（ａ）は第一デジタル変調処理部の機能ブロック構成図、（ｂ）は第一デジタル復調処理部の機能ブロック構成図
【図７】Ｉ−Ｑコンスタレーションの説明図
【図８】（ａ）は統合受信システムの車載実装例の斜視図、（ｂ）は統合受信システムの車載実装例の上面図
【図９】（ａ）は高周波結合部を抵抗で構成した場合の統合復調装置から統合アンテナ装置への高周波信号伝送の説明図、（ｂ）は高周波結合部を抵抗で構成した場合の統合アンテナ装置から統合復調装置への高周波信号伝送の説明図
【図１０】（ａ）は送受信制御部をスイッチで構成した場合の機能ブロック構成図、（ｂ）は送受信制御部をフィルタで構成した場合の機能ブロック構成図、（ｃ）は送受信制御部をフィルタで構成した場合の機能ブロック構成図
【図１１】（ａ）は統合復調装置と各統合アンテナ装置間の送受信を時分割で行なう場合の説明図、（ｂ）は統合復調装置と各統合アンテナ装置間の送受信を夫々異なる周波数で行なう場合の説明図
【図１２】（ａ）は高周波結合部をコンデンサで構成した場合の回路図、（ｂ）は高周波結合部をコイルで構成した場合の回路図
【図１３】（ａ）は高周波結合部をハイパスフィルタで構成した場合の回路図、（ｂ）は高周波結合部を方向性結合器で構成した場合の回路図
【図１４】本発明の統合受信システムの別実施形態の機能ブロック構成図
【図１５】第一通信処理部を方向性結合器で構成した場合の回路図
【図１６】本発明の統合受信システムの別実施形態の機能ブロック構成図
【図１７】本発明の統合受信システムの機能ブロック構成図
【符号の説明】
【０１２７】
２０：アンテナ装置（統合アンテナ装置）
２１：受信信号処理部
２２：多重化処理部
２３：第一デジタル変調処理部
２４：第一通信処理部
２４１：高周波結合部
２４２：送受信制御部
２５：第一デジタル復調処理部
３０：復調装置（統合復調装置）
３１：第二デジタル復調処理部
３２：分離処理部
３３：制御部
３４：第二デジタル変調処理部
３５：第二通信処理部
３５１：送受信制御部
３６：給電部
４０：伝送線
５０：アンテナ
【図１】
2010034980.tif 000009
【図２】
2010034980.tif 000010
【図３】
2010034980.tif 000011
【図４】
2010034980.tif 000012
【図５】
2010034980.tif 000013
【図６】
2010034980.tif 000014
【図７】
2010034980.tif 000015
【図８】
2010034980.tif 000016
【図９】
2010034980.tif 000017
【図１０】
2010034980.tif 000018
【図１１】
2010034980.tif 000019
【図１２】
2010034980.tif 000020
【図１３】
2010034980.tif 000021
【図１４】
2010034980.tif 000022
【図１５】
2010034980.tif 000023
【図１６】
2010034980.tif 000024
【図１７】
2010034980.tif 000025